(57)【要約】【課題】画面サイズ等、画像の表示状態を一時的に変更した場合に、容易に元の状態に戻すことが可能な画像表示装置及びその制御方法を提供する。【解決手段】制御部２０は、表示状態が最後に変更されてからの経過時間が所定時間に達したか否かを判断する。その結果、計測時間が所定時間に達すると、その時点の表示状態を表す表示状態設定情報を復元情報として記憶部２１に記憶する。また、制御部２０は、操作パネル２２及びリモコン２３に備わる表示状態復元キーがユーザにより操作されると、記憶部２１に記憶されている復元情報を読み出し、これを画像処理部２６に出力する。この結果、画像投写部１０から、復元情報に基づく表示状態で入力画像が投写される。【選択図】図１
2009015197.tif 000002
【特許請求の範囲】
【請求項１】
入力される画像情報に基づく画像を表示する表示部と、
前記画像の表示状態を指定するための表示状態指定部と、
前記画像の表示状態を、前記表示状態指定部で指定された表示状態に変更する画像調整部と、
前記画像調整部が前記表示状態指定部で指定された表示状態に変更してからの経過時間を計測する計時部と、
前記計時部によって計測される前記経過時間が所定時間に達した場合に、前記表示状態指定部で指定された前記表示状態を記憶する記憶部と、
前記表示状態の復元を指示するための復元指示部と、
を備え、
前記画像調整部は、前記復元指示部による指示を受けた場合に、前記画像の表示状態を、前記記憶部に記憶されている前記表示状態に変更することを特徴とする画像表示装置。
【請求項２】
請求項１に記載の画像表示装置であって、
前記表示部は、
光源と、
前記光源から射出された光を、前記画像情報に応じて変調して、画像光を形成する光変調装置と、
前記光変調装置で形成された前記画像光を拡大投写して、投写面に前記画像を表示する投写光学系と、
を備えることを特徴とする画像表示装置。
【請求項３】
請求項２に記載の画像表示装置であって、
前記表示状態は、前記画像の画面サイズであることを特徴とする画像表示装置。
【請求項４】
請求項２に記載の画像表示装置であって、
前記表示状態は、前記画像の部分拡大状態であることを特徴とする画像表示装置。
【請求項５】
入力される画像情報に基づく画像を表示する画像表示装置の制御方法であって、
前記画像の表示状態の指定を受け付ける第１のステップと、
前記画像の表示状態を、前記第１のステップで指定された表示状態に変更する第２のステップと、
前記第２のステップで前記表示状態に変更してからの経過時間を計測する第３のステップと、
前記第３のステップで計測される前記経過時間が所定時間に達した場合に、前記第１のステップで指定された前記表示状態を記憶する第４のステップと、
表示状態の復元の指示を受け付ける第５のステップと、
前記第５のステップで前記指示を受けた場合に、前記画像の表示状態を、前記第４のステップで記憶された前記表示状態に変更する第６のステップと、
を備えたことを特徴とする画像表示装置の制御方法。
【発明の詳細な説明】
【技術分野】
【０００１】
本発明は、入力される画像情報に応じた画像を表示する画像表示装置及びその制御方法に関する。
【背景技術】
【０００２】
画像表示装置の１つとして、光源から射出された光を画像情報に応じて変調して画像を形成する光変調装置を備え、この光変調装置で形成された画像を投写光学系によって投写して、スクリーン等に画像を表示するプロジェクタが知られている。このプロジェクタは、投写光学系に備わるズームレンズの位置を調整したり、キー操作等によって光変調装置に形成させる画像のサイズを調整したりすることによって、表示される画像のサイズ（画面サイズ）を変更可能になっている（例えば、特許文献１参照）。
【０００３】
【特許文献１】特開２００２−３６５７２０号公報
【特許文献２】特開平５−３２３４５１号公報
【発明の開示】
【発明が解決しようとする課題】
【０００４】
しかしながら、上記のようなプロジェクタでは、一度変更した画面サイズを元のサイズに戻す場合にも、変更する際と同様の操作（逆の操作）を行わなければならない。このため、例えば、特定の画面サイズを常時使用していて、一時的に画面サイズを変更した場合でも、元の画面サイズに戻すためには、変更する際と同じ手数の操作が必要となってしまう。
特許文献２に記載のビデオプロジェクター装置は、ユーザによってキー入力された画面サイズ（数値）に合わせて、ズームレンズの位置を自動的に調整することができるようになっており、画面サイズ変更時の利便性を高めている。しかしながら、このビデオプロジェクター装置では、一時的に変更した画面サイズを元に戻す際にも、画面サイズをキー入力しなければならないため、元の画面サイズを数値で覚えていなければならず、画面サイズが分からない場合には、試行錯誤で調整しなければならなくなる。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、入力される画像情報に基づく画像を表示する表示部と、前記画像の表示状態を指定するための表示状態指定部と、前記画像の表示状態を、前記表示状態指定部で指定された表示状態に変更する画像調整部と、前記画像調整部が前記表示状態指定部で指定された表示状態に変更してからの経過時間を計測する計時部と、前記計時部によって計測される前記経過時間が所定時間に達した場合に、前記表示状態指定部で指定された前記表示状態を記憶する記憶部と、前記表示状態の復元を指示するための復元指示部と、を備え、前記画像調整部は、前記復元指示部による指示を受けた場合に、前記画像の表示状態を、前記記憶部に記憶されている前記表示状態に変更することを特徴とする。
【０００７】
この画像表示装置によれば、表示状態指定部で指定された表示状態に変更してから所定時間が経過した場合に、指定された表示状態を記憶部が記憶し、復元指示部による指示を受けた場合に、画像調整部が記憶部に記憶されている表示状態に変更する。このため、所定時間以上継続した表示状態から一時的に他の表示状態に変更しても、復元指示部によって容易に元の表示状態に復元することが可能となる。
【０００８】
［適用例２］上記適用例に係る画像表示装置において、前記表示部は、光源と、前記光源から射出された光を、前記画像情報に応じて変調して、画像光を形成する光変調装置と、前記光変調装置で形成された前記画像光を拡大投写して、投写面に前記画像を表示する投写光学系と、を備えることが望ましい。
【０００９】
この画像表示装置は、表示部が画像光を拡大投写して投写面に画像を表示する構成の所謂プロジェクタであり、画面サイズや部分拡大状態等、画像の表示状態を一時的に変更する機会が多いため、表示状態を容易に復元できることがより一層効果的になる。
【００１０】
［適用例３］上記適用例に係る画像表示装置において、前記表示状態は、前記画像の画面サイズであってもよい。
【００１１】
この画像表示装置によれば、一時的に画面サイズを変更した場合でも、元の画面サイズに復元することが容易になる。
【００１２】
［適用例４］上記適用例に係る画像表示装置において、前記表示状態は、前記画像の部分拡大状態であってもよい。
【００１３】
この画像表示装置によれば、一時的に部分拡大状態を変更した場合でも、元の部分拡大状態に復元することが容易になる。
【００１４】
［適用例５］本適用例に係る画像表示装置の制御方法は、入力される画像情報に基づく画像を表示する画像表示装置の制御方法であって、前記画像の表示状態の指定を受け付ける第１のステップと、前記画像の表示状態を、前記第１のステップで指定された表示状態に変更する第２のステップと、前記第２のステップで前記表示状態に変更してからの経過時間を計測する第３のステップと、前記第３のステップで計測される前記経過時間が所定時間に達した場合に、前記第１のステップで指定された前記表示状態を記憶する第４のステップと、表示状態の復元の指示を受け付ける第５のステップと、前記第５のステップで前記指示を受けた場合に、前記画像の表示状態を、前記第４のステップで記憶された前記表示状態に変更する第６のステップと、を備えたことを特徴とする。
【００１５】
この制御方法によれば、第１のステップで指定された表示状態に変更してから所定時間が経過した場合に、指定された表示状態を記憶し、第５のステップで表示状態の復元の指示を受けた場合に、記憶されている表示状態に変更する。このため、所定時間以上継続した表示状態から一時的に他の表示状態に変更しても、容易に元の表示状態に復元することが可能となる。
【００１６】
また、上述した画像表示装置及びその制御方法が画像表示装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
以下、画像表示装置の実施形態として、入力される画像情報に基づく画像（入力画像）を投写して、スクリーンや壁面等にこの入力画像を表示するプロジェクタについて説明する。
【００１８】
図１は、本実施形態のプロジェクタの概略構成を示すブロック図である。
図１に示すように、プロジェクタ１は、画像投写部１０、制御部２０、記憶部２１、操作パネル２２、リモコン２３、操作信号受信部２４、画像信号入力部２５、画像処理部２６等で構成されている。
【００１９】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を備えている。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２０】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
液晶ライトバルブ１２Ｒ，１２Ｇ，１２Ｂは、一対の透明基板間に液晶が封入された液晶パネル等によって構成される。各液晶ライトバルブ１２Ｒ，１２Ｇ，１２Ｂには、マトリクス状に配列された複数の画素Ｐｘからなる矩形状の画素領域１２ａが形成されており、液晶に対して画素Ｐｘ毎に駆動電圧を印加可能になっている。ライトバルブ駆動部１４が、入力される画像情報に応じた駆動電圧を各画素Ｐｘに印加すると、各画素Ｐｘは、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素Ｐｘ毎に合成されてカラー画像を表す画像光となった後、投写レンズ１３によってスクリーンＳＣ等に拡大投写される。
【００２２】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測が可能な計時部としてのタイマ２０ａが備えられている。
【００２３】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２４】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオン・オフを切り替えるための「電源キー」、画像の表示サイズ（画面サイズ）の変更を指示するための「テレキー」及び「ワイドキー」、画像の部分的な拡大や拡大後の縮小を指示するための「拡大キー」及び「縮小キー」、画像の移動等を指示するための４つの「方向キー」（左方向キー、右方向キー、上方向キー、下方向キー）、画像の表示状態の復元を指示するための「表示状態復元キー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２５】
画像信号入力部２５には、ＰＣ（パーソナルコンピュータ）や映像再生装置等、図示しない外部の画像供給装置とケーブルを介した接続を行うための各種接続端子が備えられ、画像供給装置から画像情報としての画像信号が入力される。画像信号入力部２５は、入力される画像信号に基づいて、画像処理部２６で処理可能な形式の画像情報（画像データ）をフレーム（画面）単位で生成して、この画像データを画像処理部２６に順次出力する。ここで、画像信号入力部２５から出力される画像データは、Ｒ，Ｇ，Ｂの色光別に生成されており、各液晶ライトバルブ１２Ｒ，１２Ｇ，１２Ｂのすべての画素Ｐｘに対応する複数の画素値によって構成されている。画素値とは、対応する画素Ｐｘの光透過率を定めるものであり、この画素値によって、各画素Ｐｘから射出する光の強弱（階調）が規定される。
【００２６】
画像処理部２６は、制御部２０の指示に基づいて、画像信号入力部２５から入力される画像データに各種処理を施して、画像の拡大や縮小、或いは、明るさ、コントラスト、シャープネス、色合い等の各種画質調整を行う。画像処理部２６で処理がなされた画像データは、ライトバルブ駆動部１４に出力される。
【００２７】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像光を形成し、この画像光が投写レンズ１３からスクリーンＳＣに投写される。
【００２８】
本実施形態のプロジェクタ１は、上記のように構成されており、操作パネル２２及びリモコン２３に備わる「テレキー」や「ワイドキー」の操作に応じて画面サイズを変更することが可能な電子テレワイド機能を備えるとともに、「拡大キー」や「縮小キー」の操作に応じて画像を部分的に拡大することが可能な電子ズーム機能を有している。
【００２９】
ここで、電子テレワイド機能について説明する。
図２〜図４は、電子テレワイド機能を説明するための説明図であり、各図において、（ａ）は、液晶ライトバルブ１２Ｒ，１２Ｇ，１２Ｂを示す図、（ｂ）は、スクリーンＳＣに投写された画像（入力画像）を示す図である。なお、液晶ライトバルブ１２Ｒ，１２Ｇ，１２Ｂで形成すべき画像は、色合成光学系等の態様によっては投写される画像と異なる向き（左右反転等）となる場合があるが、本図では、説明を簡単にするために、形成すべき画像の向きを、投写される画像の向きと一致させて示している。
【００３０】
入力画像Ｇｉを大きなサイズで高精細に表示するためには、図２（ａ）、（ｂ）に示すように、液晶ライトバルブ１２Ｒ，１２Ｇ，１２Ｂの画素領域１２ａの全域を用いて入力画像Ｇｉを形成することが望ましいが、プロジェクタ１とスクリーンＳＣまでの距離やスクリーンＳＣのサイズ等に合わせて画面サイズを縮小させたい場合には、電子テレワイド機能が用いられる。
【００３１】
電子テレワイド機能は、図３（ａ）、（ｂ）に示すように、画素領域１２ａの一部の領域（画像形成領域１２ｅ）を用いて入力画像Ｇｉを形成することによって、画面サイズを縮小させる機能であり、本実施形態では、画素領域１２ａの全域で形成するときの画面サイズを基準にして、０．６倍〜１．０倍の範囲の３２段階で画面サイズを変更することが可能になっている。制御部２０は、電子テレワイド機能の設定値（テレワイド設定値）として０〜３１のいずれかの値を画像処理部２６に出力し、画像処理部２６は、制御部２０から入力されるテレワイド設定値に応じた画面サイズとなるように画像形成領域１２ｅの大きさを定める。例えば、画像処理部２６は、テレワイド設定値が０の場合には、画面サイズを１．０倍のままとし、画素領域１２ａの全域を画像形成領域１２ｅとする（図２（ａ）参照）。また、画像処理部２６は、設定値が０より大きくなるほど画像形成領域１２ｅを小さくし、設定値が最大値（３１）の場合には、画面サイズが０．６倍となるように、画像形成領域１２ｅの大きさを画素領域１２ａの０．６倍の大きさに設定する（図３（ａ）参照）。
【００３２】
ユーザは、操作パネル２２及びリモコン２３に備わるテレキー及びワイドキーを操作することによって、電子テレワイド機能を用いた画面サイズの変更を行うことができる。ユーザによりテレキーが操作されると、制御部２０は、それまでのテレワイド設定値に１を加えた値を新たなテレワイド設定値として画像処理部２６に出力し、画面サイズを１段階小さくする。一方、ユーザによりワイドキーが操作されると、制御部２０は、それまでのテレワイド設定値から１を減じた値を新たなテレワイド設定値として画像処理部２６に出力し、画面サイズを１段階大きくする。なお、制御部２０は、テレワイド設定値が最小値（０）のときにワイドキーが操作された場合、及びテレワイド設定値が最大値（３１）のときにテレキーが操作された場合には、テレワイド設定値を変更しない。
【００３３】
画像処理部２６は、制御部２０から入力されるテレワイド設定値に応じた大きさの画像形成領域１２ｅを画素領域１２ａ内に設定する。そして、設定した画像形成領域１２ｅ内で入力画像Ｇｉを形成すべく、これ以降入力される画像データに対して画素値の間引きを行って入力画像Ｇｉを縮小させるとともに、画像形成領域１２ｅの外側の領域（無効領域１２ｎ）に含まれる画素Ｐｘの画素値を、光透過率が最小になるように設定する。なお、画素値の間引きに伴う階調情報の欠落を補うために、間引きの対象となる画素Ｐｘに近接する画素Ｐｘの画素値を、間引かれる画素値に応じて補正することが望ましい。
【００３４】
また、制御部２０は、電子テレワイド機能を用いて画面サイズを変更する際、設定すべき画像形成領域１２ｅの位置を表す位置情報（画面位置情報）を、テレワイド設定値とともに画像処理部２６に出力する。画面位置情報としては、例えば、画素領域１２ａの左上の角Ａ０を原点、右方向をｘ方向、下方向をｙ方向とするｘｙ座標において、設定すべき画像形成領域１２ｅの左上の角Ｅ０を座標値（ｘ座標値及びｙ座標値）で表した情報等を用いることができる。このとき、テレワイド設定値が０の場合には、画素領域１２ａと画像形成領域１２ｅが一致することから、制御部２０は、画面位置情報として（０，０）を出力する。また、テレワイド設定値が０より大きい場合で、後述する画面位置の変更がない場合には、制御部２０は、画像形成領域１２ｅが画素領域１２ａの略中央に設定されるような画面位置情報を導出して、画像処理部２６に出力する。画像処理部２６は、テレワイド設定値に応じた大きさの画像形成領域１２ｅを、画素領域１２ａ内の画面位置情報に基づく位置に設定する。
【００３５】
テレワイド設定値が０以外の場合、即ち画面サイズが１．０倍未満の場合には、ユーザは、上下左右の方向キーを操作することによって、入力画像Ｇｉの表示位置（画面位置）を変更することができる。例えば、ユーザにより左方向キーが操作された場合には、制御部２０は、それまでのｘ座標値から所定値を減じた値を新たなｘ座標値とし、それまでのｙ座標値とともに画面位置情報として画像処理部２６に出力する。これにより、図４（ａ）、（ｂ）に示すように、画像形成領域１２ｅは、それまでよりも左側に形成されることとなり、画像投写部１０から投写される入力画像Ｇｉは左側に移動する。同様に、右方向キーが操作された場合には、それまでのｘ座標値に所定値を加え、上方向キーが操作された場合には、それまでのｙ座標値から所定値を減じ、下方向キーが操作された場合には、それまでのｙ座標値に所定値を加えることにより、入力画像Ｇｉを移動させる。なお、方向キーが繰り返し操作されても画像形成領域１２ｅが画素領域１２ａからはみ出すことがないように、ｘ座標値やｙ座標値には、画面サイズ毎に上限値及び下限値（下限値は常に０）が定められており、所定値を加えたり減じたりすることによって上限値や下限値を超えてしまう場合には、ｘ座標値及びｙ座標値は、上限値や下限値で固定される。
【００３６】
次に、電子ズーム機能について説明する。
図５（ａ）〜（ｄ）は、電子ズーム機能を説明するための説明図であり、スクリーンＳＣに投写された画像を示す図である。ここで、図５（ａ）、（ｃ）は、入力画像Ｇｉの全体が表示さている状態であり、図５（ｂ）、（ｄ）は、入力画像Ｇｉの一部の範囲が拡大されている状態を示している。
【００３７】
図５（ａ）、（ｂ）に示すように、電子ズーム機能は、入力画像Ｇｉの一部の範囲（例えば、範囲Ｇｚ１）を拡大（部分拡大）して表示するための機能であり、本実施形態では、入力画像Ｇｉの全体が表示される状態（図５（ａ）参照）を基準にして、１倍〜４倍の範囲の２５段階で拡大率を変更することが可能になっている。制御部２０は、電子ズーム機能の設定値（ズーム設定値）として０〜２４のいずれかの値を画像処理部２６に出力し、画像処理部２６は、入力画像Ｇｉの一部の範囲が、制御部２０から入力されるズーム設定値に応じた拡大率で表示されるように画像データを補正する。例えば、画像処理部２６は、ズーム設定値が０の場合には、拡大率を１．０倍のまま（補正なし）として、入力画像Ｇｉの全体を表示する。また、画像処理部２６は、ズーム設定値が大きくなるほど拡大率を大きくし、ズーム設定値が最大値（２４）の場合には、入力画像Ｇｉの一部の範囲を４．０倍に拡大させて表示する。
【００３８】
ユーザは、操作パネル２２及びリモコン２３に備わる「拡大キー」及び「縮小キー」を操作することによって拡大率を増減することができる。ユーザにより拡大キーが操作されると、制御部２０は、それまでのズーム設定値に１を加えた値を新たなズーム設定値として画像処理部２６に出力し、拡大率を１段階大きくする。一方、ユーザにより縮小キーが操作されると、制御部２０は、それまでのズーム設定値から１を減じた値を新たなズーム設定値として画像処理部２６に出力し、拡大率を１段階小さくする。なお、制御部２０は、ズーム設定値が最小値（０）のときに縮小キーが操作された場合、及びズーム設定値が最大値（２４）のときに拡大キーが操作された場合には、ズーム設定値を変更しない。
【００３９】
画像処理部２６は、制御部２０から入力されるズーム設定値に応じた拡大率で入力画像Ｇｉの一部範囲が拡大されるよう、これ以降入力される画像データに対して画素値の補間を行う。さらに、補間によって画像形成領域１２ｅ（画面サイズが１．０倍の場合には、画素領域１２ａ）からはみ出すことになる画素Ｐｘの画素値については画像データから削除する。なお、新たな画素値の補間により不自然な画像となるのを抑制するために、補間する位置に近接する画素Ｐｘの画素値に応じて、補間すべき画素値を定めることが望ましい。
【００４０】
また、制御部２０は、電子ズーム機能を用いて入力画像Ｇｉの一部の範囲を拡大する際、入力画像Ｇｉ内における拡大すべき範囲（拡大範囲）の基点を表す位置情報（拡大位置情報）を、ズーム設定値とともに画像処理部２６に出力する。拡大位置情報としては、例えば、入力画像Ｇｉの左上の角Ｇ０を原点、右方向をＸ方向、下方向をＹ方向としたＸＹ座標において、拡大範囲の左上の角Ｒ０を座標値（Ｘ座標値及びＹ座標値）で表した情報等を用いることができる。このとき、ズーム設定値が０（拡大率が１倍）の場合には、入力画像Ｇｉの全体が表示されることから、制御部２０は、拡大位置情報として（０，０）を出力する。また、ズーム設定値が０より大きい場合で、後述する拡大範囲の変更がない場合には、制御部２０は、入力画像Ｇｉの略中央部がズーム設定値に応じた拡大率で拡大されるような拡大位置情報を導出して、画像処理部２６に出力する。画像処理部２６は、拡大位置情報に基づく位置を基点（左上）として、拡大率によって定まる大きさの範囲（拡大率が大きくなるほど範囲は狭くなる）を拡大範囲に設定し、画素値の補間によってこの拡大範囲を拡大する。
【００４１】
ズーム設定値が０以外の場合、即ち拡大率が１．０倍を超える場合には、ユーザは、上下左右の方向キーを操作することによって、拡大範囲を変更（移動）することができる。なお、電子テレワイド機能と電子ズーム機能の双方が有効（テレワイド設定値、ズーム設定値とも０以外）である場合に、方向キーが操作された場合には、電子ズーム機能、即ち拡大範囲の移動が優先される。ここで、ユーザにより左方向キーが操作された場合には、制御部２０は、それまでのＸ座標値から所定値を減じた値を新たなＸ座標値とし、それまでのＹ座標値とともに拡大位置情報として画像処理部２６に出力する。これにより、図５（ｄ）に示すように、拡大範囲はそれまでの範囲Ｇｚ１よりも左寄りの範囲Ｇｚ２に移動する。同様に、右方向キーが操作された場合には、それまでのＸ座標値に所定値を加え、上方向キーが操作された場合には、それまでのＹ座標値から所定値を減じ、下方向キーが操作された場合には、それまでのＹ座標値に所定値を加えることにより、拡大範囲を移動させる。なお、方向キーが繰り返し操作されても拡大範囲が入力画像Ｇｉからはみ出すことがないように、Ｘ座標値やＹ座標値には、拡大率毎に上限値及び下限値（下限値は常に０）が定められており、所定値を加えたり減じたりすることによって上限値や下限値を超えてしまう場合には、Ｘ座標値及びＹ座標値は、上限値や下限値で固定される。
【００４２】
プロジェクタ１は、上記のような電子テレワイド機能及び電子ズーム機能を有しており、ユーザは、操作パネル２２或いはリモコン２３に備わるテレキー、ワイドキー、拡大キー、縮小キー、及び方向キーを操作することによって、入力画像Ｇｉの表示状態、即ち画面サイズや画面位置、部分拡大時における拡大率や拡大範囲を変更することができる。
【００４３】
図６は、プロジェクタ１の動作を説明するためのフローチャートである。電源オフの状態で電源キーが操作されると、制御部２０は、光源１１の点灯動作等、必要な初期動作を行って入力画像Ｇｉの表示を開始した後、図６に示すフローに従って動作する。なお、図６では、表示状態の変更に関わる動作のみを示しており、他の動作については図示を省略している。
【００４４】
図６に示すように、制御部２０は、表示状態の変更に関わる特定のキー、即ちテレキー、ワイドキー、拡大キー、縮小キー、及び方向キーのいずれかが操作されたか否かを判断する（ステップＳ１０１）。この結果、特定のキー操作があった場合には、上述した電子テレワイド機能又は電子ズーム機能によって表示状態を変更し（ステップＳ１０２）、テレワイド設定値、画面位置情報、ズーム設定値、及び拡大位置情報からなる表示状態設定情報を自らのＲＡＭに一時的に記憶する（ステップＳ１０３）。そして、その表示状態に変更されてからの経過時間を計測すべくタイマ２０ａによる計時を開始する（ステップＳ１０４）。なお、上記のキーが繰り返し操作される場合には、制御部２０は、ＲＡＭに記憶されている表示状態設定情報を操作の度に更新し、タイマ２０ａによる計時を操作の度にリセットする。このため、ＲＡＭには最新の表示状態設定情報のみが記憶され、タイマ２０ａは、表示状態が最後に変更されてからの経過時間を計測することになる。
【００４５】
タイマ２０ａによって計時を行っている間、制御部２０は、タイマ２０ａの計測時間（表示状態が最後に変更されてからの経過時間）が所定時間Ｔ１（本実施形態では、３０秒）に達したか否かを判断する（ステップＳ１０５）。その結果、計測時間が所定時間Ｔ１に達すると、制御部２０は、その時点の表示状態を表す表示状態設定情報、即ちＲＡＭに記憶されている表示状態設定情報を復元情報として記憶部２１に記憶し（ステップＳ１０６）、タイマ２０ａによる計時を停止する（ステップＳ１０７）。なお、記憶部２１は、１つの復元情報のみを記憶するようになっており、制御部２０は、復元情報を記憶する際、既に記憶部２１に記憶されている以前の復元情報を新たな復元情報に置き換える。
【００４６】
また、制御部２０は、操作パネル２２及びリモコン２３に備わる表示状態復元キーがユーザにより操作されたか否かを判断し（ステップＳ１０８）、表示状態復元キーが操作された場合には、制御部２０は、タイマ２０ａが計時を行っている状態であればこれを停止するとともに（ステップＳ１０９）、記憶部２１に記憶されている復元情報（表示状態設定情報）を読み出してこれを画像処理部２６に出力する（ステップＳ１１０）。この結果、画像投写部１０から、復元情報に基づく表示状態で入力画像Ｇｉが投写される。
【００４７】
また、制御部２０は、電源キーが操作されたか否かを判断し（ステップＳ１１１）、電源キーが操作された場合には、光源１１の消灯等、必要な終了動作を行って電源オフの状態に移行し（ステップＳ１１２）、処理を終了する。
【００４８】
なお、初期設定（出荷時設定）の記憶部２１には、入力画像Ｇｉが１．０倍の画面サイズで、且つ１．０倍の拡大率で表示される表示状態（通常表示状態）を表す復元情報が記憶されている。また、プロジェクタ１は、電源が投入されて動作を開始する際には、記憶部２１に記憶されている復元情報を読み出して、この復元情報に基づく表示状態で入力画像Ｇｉを表示する。
【００４９】
図７（ａ）〜（ｅ）は、プロジェクタ１の動作の具体的事例を説明するための説明図であり、ユーザの操作に応じた表示状態の推移を示している。
図７（ａ）に示すように、入力画像Ｇｉが通常表示状態（表示状態Ｓ１）で表示されている際に、ユーザにより拡大キーが複数回（例えば、４回）連続して（所定時間Ｔ１以上の間隔を空けずに）操作されると、入力画像Ｇｉの表示状態は、略中央部が１．５倍に拡大された表示状態Ｓ２に切り替わる（図７（ｂ）参照）。次いで、表示状態Ｓ２の継続時間、即ち表示状態Ｓ２に切り替わってからの経過時間が所定時間Ｔ１（３０秒）に達する前（例えば、１０秒後）に、左方向キーが複数回連続して操作されると、入力画像Ｇｉの左寄りの範囲が１．５倍に拡大された表示状態Ｓ３に切り替わり（図７（ｃ）参照）、この表示状態Ｓ３が所定時間Ｔ１以上継続すると、表示状態Ｓ３を表す表示状態設定情報が記憶部２１に記憶される。その後、再び拡大キーが複数回（例えば、４回）連続して操作されると、入力画像Ｇｉの左寄りの範囲が２．０倍に拡大された表示状態Ｓ４に切り替わる（図７（ｄ）参照）。そして、表示状態Ｓ４に切り替わってからの経過時間が所定時間Ｔ１に達する前（例えば、１０秒後）に、ユーザにより表示状態復元キーが操作されると、記憶部２１に記憶されている表示状態設定情報（復元情報）が読み出されて、この復元情報に応じた表示状態、即ち入力画像Ｇｉの左寄りの範囲が１．５倍に拡大された表示状態Ｓ３が復元される（図７（ｅ）参照）。このように、ユーザは、表示状態復元キーを１回操作することにより、それ以前に所定時間Ｔ１以上継続した表示状態を復元することができる。なお、表示状態復元キーを用いずに、表示状態Ｓ４から表示状態Ｓ３に変更するためには、縮小キーを複数回（４回）連続して操作する必要がある。
【００５０】
以上説明したように、本実施形態のプロジェクタ１によれば、制御部２０及び画像処理部２６は、テレキー、ワイドキー、拡大キー、縮小キー、及び方向キーの操作に応じて、画像の表示状態、即ち画面サイズや画面位置、部分拡大時における拡大率や拡大範囲を変更してから所定時間Ｔ１が経過した場合に、変更後の表示状態を復元情報として記憶部２１に記憶する。また、表示状態復元キーが操作された場合には、記憶部２１に記憶されている復元情報に応じた表示状態に変更する。このため、所定時間Ｔ１以上継続した表示状態から一時的に他の表示状態に変更しても、表示状態復元キーを１回操作するだけで容易に元の表示状態に復元することが可能となる。
【００５１】
なお、本実施形態の操作パネル２２及びリモコン２３は、表示状態を指定するためのテレキー、ワイドキー、拡大キー、縮小キー、及び方向キーを備えることから表示状態指定部に相当するとともに、表示状態の復元を指示するための表示状態復元キーを備えることから復元指示部にも相当する。また、テレキー、ワイドキー、拡大キー、縮小キー、方向キー、及び表示状態復元キーの操作に応じて表示状態を変更する制御部２０及び画像処理部２６は、画像調整部に相当する。
【００５２】
また、前記実施形態は、以下のように変更してもよい。
（変形例１）
前記実施形態では、液晶ライトバルブ１２Ｒ，１２Ｇ，１２Ｂの画素領域１２ａ内に設定する画像形成領域１２ｅの大きさによって画面サイズを変更する構成を示しているが、光学的なズーム機構により画面サイズを変更する構成とすることも可能である。
図８は、本変形例に係るプロジェクタ１の概略構成を示すブロック図である。
図８に示すように、投写レンズ１３には、図示しないズーム機構が備えられており、プロジェクタ１は、ズーム機構を駆動するズーム駆動部２７を備えている。操作パネル２２或いはリモコン２３に備わるテレキーやワイドキーがユーザによって操作されると、制御部２０は、ズーム駆動部２７に対して操作内容に応じたズーム設定値を出力する。ズーム駆動部２７は、入力されるズーム設定値に応じて投写レンズ１３のズーム機構を駆動させ、画面サイズを変更する。制御部２０は、画面サイズを変更してから所定時間Ｔ１が経過すると、ズーム設定値を記憶部２１に記憶し、ユーザにより表示状態復元キーが操作された場合には、記憶部２１に記憶したズーム設定値を呼び出して、これをズーム駆動部２７に出力して画面サイズを復元する。
この態様によれば、光学的なズーム機構によって画面サイズを変更することから、画素領域１２ａ内に画像形成領域１２ｅを設定して本来よりも少ない画素で入力画像を形成する場合に比べて、画面サイズを縮小させる際の画像の劣化を抑制することが可能となる。
【００５３】
（変形例２）
前記実施形態では、記憶部２１に１つの復元情報のみを記憶するようにしているが、所定時間Ｔ１以上継続した表示状態の復元情報を複数記憶する態様とし、例えば、表示状態復元キーが操作される度に、画像処理部２６に出力する復元情報を切り替えるようにしてもよい。
【００５４】
（変形例３）
前記実施形態では、ユーザの操作に応じて画面サイズや画面位置、部分拡大時における拡大率や拡大範囲を変更してから所定時間Ｔ１が経過した場合に、表示状態復元キーの操作に応じて、これらの表示状態（画面サイズ等）を復元する構成を示しているが、復元する表示状態は前記に限定されない。例えば、画像の明るさ、コントラスト、シャープネス、色合い等の画質をユーザの操作に応じて調整（変更）可能な構成にするとともに、調整後所定時間Ｔ１が経過した場合に、表示状態復元キーの操作に応じて、これらの画質調整状態を復元する構成にすることも可能である。
【００５５】
（変形例４）
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００５６】
（変形例５）
前記実施形態では、光源１１は、放電型の光源ランプ１１ａによって構成されているが、ＬＥＤ（Light Emitting Diode：発光ダイオード）光源等の固体光源や、その他の光源を用いることもできる。
【００５７】
（変形例６）
前記実施形態では、画像表示装置として、光源１１から射出された光を変調して投写するプロジェクタ１を例にして説明しているが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等に適用することも可能である。ただし、これらの画像表示装置の中で、プロジェクタは、画面サイズや部分拡大状態等、画像の表示状態を一時的に変更する機会が多いため、表示状態を容易に復元できることがより一層効果的になる。
【図面の簡単な説明】
【００５８】
【図１】実施形態に係るプロジェクタの概略構成を示すブロック図。
【図２】電子テレワイド機能を説明するための説明図であり、（ａ）は、液晶ライトバルブを示す図、（ｂ）は、スクリーンに投写された画像（入力画像）を示す図。
【図３】電子テレワイド機能を説明するための説明図であり、（ａ）は、液晶ライトバルブを示す図、（ｂ）は、スクリーンに投写された画像（入力画像）を示す図。
【図４】電子テレワイド機能を説明するための説明図であり、（ａ）は、液晶ライトバルブを示す図、（ｂ）は、スクリーンに投写された画像（入力画像）を示す図。
【図５】（ａ）〜（ｄ）は、電子ズーム機能を説明するための説明図。
【図６】プロジェクタの動作を説明するためのフローチャート。
【図７】（ａ）〜（ｅ）は、プロジェクタの動作の具体的事例を説明するための説明図。
【図８】変形例に係るプロジェクタの概略構成を示すブロック図。
【符号の説明】
【００５９】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１２ａ…画素領域、１２ｅ…画像形成領域、１２ｎ…無効領域、１３…投写レンズ、１４…ライトバルブ駆動部、２０…制御部、２０ａ…タイマ、２１…記憶部、２２…操作パネル、２３…リモコン、２４…操作信号受信部、２５…画像信号入力部、２６…画像処理部、２７…ズーム駆動部、Ｇｉ…入力画像、Ｐｘ…画素、ＳＣ…スクリーン。
【図１】
2009015197.tif 000003
【図２】
2009015197.tif 000004
【図３】
2009015197.tif 000005
【図４】
2009015197.tif 000006
【図５】
2009015197.tif 000007
【図６】
2009015197.tif 000008
【図７】
2009015197.tif 000009
【図８】
2009015197.tif 000010